(57)【要約】      【課題】  バックグランド処理でＴＶ機能を実行させている状態においてＴＶチャンネルを切り替えたとき、ＴＶ番組の内容をユーザに的確に報知しつつナビゲーション表示に対する妨げを最小限に抑える。      【解決手段】  視聴する番組を切り替える切替手段と、番組が切り替えられると当該番組の子画面の画像を生成する子画面生成手段と、生成された子画面の画像を重畳表示する子画面表示手段と、子画面表示から所定時間経過すると当該子画面表示を解除する表示制御手段を備える。【選択図】      図３
2006100908.tif 000002
【特許請求の範囲】
【請求項１】
テレビジョン番組を視聴可能な車載器において、
視聴する番組を切り替える切替手段と、
番組が切り替えられると当該番組の子画面の画像を生成する子画面生成手段と、
生成された子画面の画像を重畳表示する子画面表示手段と、
子画面表示から所定時間経過すると当該子画面表示を解除する表示制御手段と、を備えたこと、を特徴とする車載器。
【請求項２】
前記子画面の重畳表示中にその番組に関する文字情報を重畳表示する文字表示手段をさらに備えたこと、を特徴とする請求項１に記載の車載器。
【請求項３】
前記子画面表示中に番組が切り替えられると、当該子画面を削除して切り替え後の番組の子画面を表示すること、を特徴とする請求項１又は請求項２のいずれかに記載の車載器。
【請求項４】
車両の走行を検出する走行検出手段をさらに備え、
該走行が検出されているときには前記子画面を表示しないこと、を特徴とする請求項１から請求項３のいずれかに記載の車載器。
【請求項５】
前記子画面表示中に該走行が検出されると当該子画面表示を強制的に解除すること、を特徴とする請求項４に記載の車載器。
【請求項６】
車載された装置でテレビジョン番組を表示するテレビジョン番組表示方法において、
視聴する番組を切り替える切替ステップと、
番組が切り替えられると当該番組の子画面の画像を生成する子画面生成ステップと、
生成された子画面の画像を重畳表示する子画面表示ステップと、
子画面表示から所定時間経過すると当該子画面表示を解除する表示解除ステップと、を含んだこと、を特徴とするテレビジョン番組表示方法。
【請求項７】
前記子画面の重畳表示中にその番組に関する文字情報を重畳表示する文字表示ステップをさらに含んだこと、を特徴とする請求項６に記載のテレビジョン番組表示方法。
【請求項８】
前記子画面表示中に番組が切り替えられると当該子画面を削除して切り替え後の番組の子画面を表示する表示番組切り替えステップをさらに含んだこと、を特徴とする請求項６又は請求項７のいずれかに記載のテレビジョン番組表示方法。
【請求項９】
車両の走行を検出する走行検出ステップをさらに含み、
該走行が検出されているときには前記子画面表示ステップを実行しないこと、を特徴とする請求項６から請求項８のいずれかに記載のテレビジョン番組表示方法。
【請求項１０】
前記子画面表示中に該走行が検出されると当該子画面表示を強制的に解除する強制解除ステップをさらに含んだこと、を特徴とする請求項９に記載のテレビジョン番組表示方法。
【発明の詳細な説明】
【技術分野】
【０００１】
この発明は、テレビジョン番組を視聴可能な車載器、及び車載された装置でテレビジョン番組を表示するテレビジョン番組表示方法に関する。
【背景技術】
【０００２】
車両に搭載されるナビゲーション装置には、テレビジョン（以下、ＴＶと略記）を視聴する為の機能が付与されている。このような装置は、車両停止中にはＴＶ画像及びＴＶ音声を出力できるように設計されているが、当該車両走行中にはＴＶ画像の出力は禁止されてＴＶ音声のみ出力できるように設計されている（例えば特許文献１）。
【特許文献１】特開２００２−１０１３５５号公報
【０００３】
上記特許文献１に示されたような装置において例えばナビゲーション機能を実行させている間にバックグランド処理でＴＶ機能を実行させていると、画面上にはナビゲーション用の地図が表示されつつスピーカからはＴＶ音声が出力される。このような状態においてＴＶチャンネルを切り替えたとき、ＴＶ音声が選択されたチャンネルの音声に切り替わると共に、その画面上に当該チャンネルの文字情報（局名やチャンネルナンバー等）が表示される。
【発明の開示】
【発明が解決しようとする課題】
【０００４】
しかしながら局名やチャンネルナンバー等の文字情報だけではスピーカから流れているＴＶ番組の内容を把握することが難しかった。また、ＴＶ番組の内容を報知する為に画面上に表示させる情報量を無駄に増やしてしまうと、ナビゲーション表示が隠れてしまい、当該表示を利用した走行の妨げとなってしまう。
【０００５】
そこで、本発明は上記の事情に鑑み、上述したようにバックグランド処理でＴＶ機能を実行させている状態においてＴＶチャンネルを切り替えたとき、ＴＶ番組の内容をユーザに的確に報知しつつナビゲーション表示に対する妨げを最小限に抑えることができる車載器及びテレビジョン番組表示方法を提供することを目的とする。
【課題を解決するための手段】
【０００６】
上記の課題を解決する本発明の一態様に係る車載器は、テレビジョン番組を視聴可能なものであり、視聴する番組を切り替える切替手段と、番組が切り替えられると当該番組の子画面の画像を生成する子画面生成手段と、生成された子画面の画像を重畳表示する子画面表示手段と、子画面表示から所定時間経過すると当該子画面表示を解除する表示制御手段を備えたものである。この車載器を採用すると、ユーザは、ＴＶ番組の内容を画像で確認できるためその内容を容易に把握でき、さらに、その画像が子画面であり且つ所定時間後に自動的に消去されるため例えばナビゲーション画面を表示中であっても当該画面がＴＶ画像によって妨げられない。なお、この車載器は、子画面の重畳表示中にその番組に関する文字情報を重畳表示する文字表示手段をさらに備えたものであっても良い。また、子画面表示中に番組が切り替えられると、当該子画面を削除して切り替え後の番組の子画面を表示するができる。
【０００７】
また、この車載器は、車両の走行を検出する走行検出手段をさらに備えたものであっても良い。この場合、該走行が検出されているときには子画面を表示しない。また、子画面表示中に該走行が検出されると当該子画面表示を強制的に解除することもできる。
【０００８】
また、上記の課題を解決する本発明の一態様に係るテレビジョン番組表示方法は、車載された装置でテレビジョン番組を表示する方法であり、視聴する番組を切り替える切替ステップと、番組が切り替えられると当該番組の子画面の画像を生成する子画面生成ステップと、生成された子画面の画像を重畳表示する子画面表示ステップと、子画面表示から所定時間経過すると当該子画面表示を解除する表示解除ステップを含んだ方法である。この方法を採用すると、ユーザは、ＴＶ番組の内容を画像で確認できるためその内容を容易に把握でき、さらに、その画像が子画面であり且つ所定時間後に自動的に消去されるため例えばナビゲーション画面を表示中であっても当該画面がＴＶ画像によって妨げられない。なお、この方法は、子画面の重畳表示中にその番組に関する文字情報を重畳表示する文字表示ステップをさらに含んだものであっても良い。また、子画面表示中に番組が切り替えられると当該子画面を削除して切り替え後の番組の子画面を表示する表示番組切り替えステップをさらに含んだものであっても良い。
【０００９】
また、この方法は、車両の走行を検出する走行検出ステップをさらに含んだものであっても良い。この場合、該走行が検出されているときには子画面表示ステップを実行しない。また、子画面表示中に該走行が検出されると当該子画面表示を強制的に解除する強制解除ステップをさらに含んだものであっても良い。
【発明の効果】
【００１０】
本発明の車載器及びテレビジョン番組表示方法を採用すると、バックグランド処理でＴＶ機能を実行させている状態においてＴＶチャンネルを切り替えたとき、ユーザは、ＴＶ番組の内容を画像で確認できるためその内容を容易に把握でき、さらに、その画像が子画面であり且つ所定時間後に自動的に消去されるため例えばナビゲーション画面を表示中であっても当該画面がＴＶ画像によって妨げられない。
【発明を実施するための最良の形態】
【００１１】
図１は、本発明の実施の形態の車載器１００の構成を示したブロック図である。また、図２は、モニタに表示される画像を示した図である。以下に、図１及び図２を参照して、本実施形態の車載器１００の構成及び作用について説明する。
【００１２】
本実施形態の車載器１００は、車両の搭乗者を目的地に案内する為のナビゲーション機能を備えた装置であり、当該車載器１００全体の制御を統括して行う制御部１０と、当該車載器１００をユーザが操作する為の操作部１２と、ＴＶ放送波を受信可能な受信機１４を有している。操作部１２は、例えば、リモートコントロールスイッチであっても良く、車載器に設けられたボタンスイッチであっても良い。また、受信機１４は、ＴＶ放送波を受信する為の受信アンテナに加え、ＴＶチャンネルを選択する為のチューナ機能も有している。なお、ＴＶチャンネルのチューニングは、操作部１２を操作することによって実行される。
【００１３】
また、車載器１００は、ナビゲーション用のデジタル地図データや音声データを含む各種情報を記憶したメモリ２２を有している。また、メモリ２２に記憶された地図データを用いて地図画像を生成したり、受信機１４によって受信されたＴＶ放送波に含まれる画像信号に基づいてそのＴＶの画像を生成したりする画像処理部１６を有している。またさらに、画像処理部１６で生成されたナビゲーション用の地図画像やＴＶ画像を表示するモニタ１８と、ナビゲーション用の音声データやＴＶ音声等を出力するスピーカ２４を有している。
【００１４】
また、車載器１００は、自身を搭載する車両の現在位置を取得する為のＧＰＳ装置３０を有している。ＧＰＳ装置３０は、ＧＰＳ用人工衛星から発信されたＧＰＳ信号を受信して位置情報を取得する為のＧＰＳレシーバ３２と、ＧＰＳ装置３０全体の制御を統括して行うＧＰＳ用制御部３４と、車両の角速度を計測するジャイロセンサ３６と、車両の左右の駆動輪の回転速度を検出してその平均速度に応じた車速パルス信号を生成する車速センサ３８を備えている。
【００１５】
モニタ１８にナビゲーション用の地図画像を表示する際の処理について説明する。先ず、ＧＰＳ用制御部３４が、ジャイロセンサ３６と車速センサ３８から出力された信号に基づいてデッドレコニング（以下、ＤＲと略記）を行う（すなわち車両の向き或いは進行方向及び距離を演算する）。そしてその演算されたＤＲ測位結果及びＧＰＳ測位結果を参照して、現在位置周辺のデジタル地図データをメモリ２２から抽出し、画像処理部１６に出力する。画像処理部１６は、抽出された地図データをＤ／Ａ変換する。そして変換した地図データと共に車両の現在位置を示す自車両マークをモニタ１８に出力する。これにより、例えば図２（ａ）に示されたように、モニタ１８の所定位置に自車両マークが表示され、その画面全体に当該車両近辺の地図が表示される。
【００１６】
また、ナビゲーション用の音声データをスピーカ２４から出力させる際の処理について説明する。このとき制御部１０が、ＤＲ測位結果及びＧＰＳ測位結果や現在位置周辺のデジタル地図データに基づき、車両の向きや現在位置等を加味した適切な音声データをメモリ２２から抽出し、スピーカ２４に出力する。これにより、ナビゲーション用の音声データがスピーカ２４から出力される。
【００１７】
また、モニタ１８にＴＶ画像を表示する際の処理、及びＴＶ音声を再生する際の処理について説明する。先ず、受信機１４が、ＴＶ放送波を受信し、チューナ機能によって選択されている放送波の信号を制御部１０に出力する。そして制御部１０は、当該放送波に含まれている画像信号を抽出して画像処理部１６に出力すると共に、当該放送波に含まれている音声信号を抽出する。
【００１８】
画像処理部１６は、入力された画像信号を、輝度信号と色差信号に分離して自身が有するメモリ１６ａに書き込む。なお、メモリ１６ａは複数のメモリから成り、輝度信号や色差信号はそれぞれ対応するメモリに書き込まれる。そして画像処理部１６は、各メモリに書き込まれた各信号を、制御部１０から出力される読み出し用同期信号に同期させて読み出して一枚の画像を生成し、モニタ１８に出力する。これにより、モニタ１８にはその画面全体にＴＶ画像が表示される。また、抽出された音声信号に所定の処理を施して制御部１０がスピーカ２４に出力すると、ＴＶ音声が再生される。
【００１９】
また、車載器１００は、図２（ｂ）に示されたような、モニタ１８に表示される文字情報１８ａを生成するオン・スクリーン・ディスプレイ（以下、ＯＳＤと略記）２０を有している。
【００２０】
ＯＳＤ２０を用いた文字情報の生成処理について説明する。先ず、制御部１０が、操作部１２によって選択されているＴＶチャンネル情報を取得し、メモリ２２を読み込む。ここで、メモリ２２には各放送局の名称やチャンネルナンバー等の文字情報が記憶されている。制御部１０は、取得したＴＶチャンネル情報に基づいて、それに対応する上記文字情報をメモリ２２から読み出し、ＯＳＤ２０に出力する。ＯＳＤ２０は、その情報に基づいて局名やチャンネルナンバー等を表す文字画像を生成し、画像処理部１６に出力する。画像処理部１６は、表示される画像（地図画像であってもＴＶ画像であっても良い）に上記文字画像を重畳し、モニタ１８に出力する。これにより、モニタ１８には、図２（ｂ）に示されたように、現在の受信チャンネルに関する文字情報１８ａが表示される。なお、ここでＯＳＤ２０に生成されて表示される文字情報は、受信チャンネルに関するものに限らない。例えば、本実施形態の文字情報１８ａには、受信チャンネルに関するものに加えて、音声に関する情報も含まれている。この音声に関する情報には、例えば、ステレオ又はモノラルであるか、主音声又は副音声であるか等といったものがある。また、本実施形態では、図２（ｂ）に示された、局名やチャンネルナンバーを囲う枠も、ＯＳＤ２０によって生成されている。また、文字情報１８ａの表示位置は、図２（ｂ）で示された位置に限らず、例えば画面下側であっても良い。
【００２１】
なお、車載器１００では、車両走行中は運転手の意識を運転に集中させる為にＴＶ画像の表示を禁止し、車両停止中はＴＶ画像の表示を許可している。説明を加えると、制御部１０は、車速センサ３８から出力される信号を監視しており、車両が走行中であるか又は停止中であるかを検出している。車両の走行が検出されると、制御部１０は、表示中のＴＶ画像を地図画像（又は他の画像、例えば再生中の音声記録媒体に関する情報）に強制的に切り替え、走行が検出されている間はＴＶ画像を復帰させることはない。従って、車両走行中にＴＶ画像が表示されることはない。また、車両の停止が検出されているときには、制御部１０は、ＴＶ画像の表示に関して何の禁止処理も行わない。すなわち車両を停止させているときには、ＴＶの放送波を受信することができればＴＶ画像をいつでも表示させることができる。なお、上述した車両走行の判定処理を、例えばシフトレバー（不図示）の位置に応じて実行することもできる。この場合、制御部１０は、シフトレバーがパーキングやニュートラルの位置にあると車両が停止中であると判定し、当該シフトレバーが他の位置（例えばドライブ、バック等）にあると車両が走行中であると判定する。
【００２２】
また、車載器１００では、ナビゲーション機能を実行させる一方で、バックグランド処理でＴＶ機能を実行させることができる。この場合、モニタ１８にはナビゲーション用の地図が表示されており、スピーカ２４からはＴＶ音声が出力されている。なお、この状態においてナビゲーション用の音声が再生されるときには、ＴＶ音声は一時的に音量を下げられるか或いは消音される。また、車両停止中に限るが、モニタ１８に地図を表示させるか又はＴＶ番組を表示させるかは、操作部１２を操作することによって切り替え可能である。
【００２３】
ここで、バックグランド処理でＴＶ機能を実行させているとき、ＴＶ音声だけではユーザはそのＴＶ番組の内容を把握することが難しかった。そこで、本実施形態の車載器１００では、画像処理部１６に、図２（ｂ）に示されたようなＴＶ番組の子画面１８ｂを生成する機能を与えることによってこの問題を解決している。
【００２４】
以下に、画像処理部１６によるＴＶ番組の子画面の生成処理について説明する。
【００２５】
制御部１０から出力された画像信号に対して上述した画像処理を実行するとＴＶ画像のサイズが画面全域に及ぶ。画像処理部１６は、子画面を生成する為、ＴＶ画像データの一部を削除しつつ当該画像が滑らかな画像となるようにフィルタ処理を施す。そして処理後のＴＶ画像をモニタ１８に出力する。この処理によってＴＶ画像は子画面のサイズに圧縮される。この為、モニタ１８には図２（ｂ）に示したようなＴＶ番組の子画面１８ｂが表示される。なお、この子画面１８ｂは、動画であっても良く、１フレームの静止画であっても良い。また、動画の場合、画像処理部１６の負担を軽減させる為に、単位時間当たりのフレーム数を低下させることが好ましい。また、子画面１８ｂの表示位置は、図２（ｂ）で示された位置に限らず、例えば画面下側であっても良い。また、そのサイズも、図２（ｂ）で示されたサイズに限らず、図２（ｂ）のものより大きくても小さくても良い。またさらに、この子画面１８ｂの表示位置及びサイズをユーザ側で設定できるようにしても良い。この場合、例えば操作部１２を操作することにより、ユーザは、最も見易い状態で子画面を表示させ、さらに、当該子画面による地図画像（又は他の画像）の妨げを最小限に抑えることができる。
【００２６】
図３及び図４は、本実施形態の車載器１００で行われる処理であって、切り替えられたチャンネルの情報を表示するチャンネル情報表示処理を示したフローチャートである。以下に、図３及び図４を参照して、本実施形態の車載器１００が行うチャンネル情報表示処理について説明する。
【００２７】
図３のフローチャートに示されたチャンネル情報表示処理は、ナビゲーション機能（又は他の機能）を実行させつつバックグランド処理でＴＶ機能を実行させたときに開始される。このときモニタ１８には図２（ａ）に示されたように地図画像（又は他の画像、例えばウェブサイトの画像等）が表示され、スピーカ２４からは選択されているＴＶチャンネルの音声が出力されている。また、このチャンネル情報表示処理は、車載器１００の電源をオフしたときや、モニタ１８の表示が通常のＴＶ画像（画面全域に及ぶＴＶ画像の表示）に切り替えられたときに終了する。
【００２８】
ナビゲーション機能を実行させつつバックグランド処理でＴＶ機能を実行させると、制御部１０は、車速センサ３８から出力される信号を監視し、車両が走行中であるか否かを判定する（ステップ１、以下、ステップを「Ｓ」と略記）。車両が走行中であると判定した場合（Ｓ１：ＹＥＳ）、制御部１０は、所定のタイミング後に再びＳ１の処理を実行する。また、車両が走行中でない即ち車両が停止中であると判定した場合（Ｓ１：ＮＯ）、制御部１０は、操作部１２の操作によってＴＶチャンネルが切り替えられたか否かを判定する（Ｓ２）。ＴＶチャンネルが切り替えられたと判定した場合（Ｓ２：ＹＥＳ）、制御部１０は、Ｓ３の処理に進む。また、ＴＶチャンネルが切り替えられていないと判定した場合（Ｓ２：ＮＯ）、Ｓ１の処理に戻る。
【００２９】
ここで、図４は、図３のＳ３の処理を示したサブルーチンである。制御部１０は、この処理を実行している間も車速センサ３８から出力される信号を監視している。そして車両の走行が検出されると、文字情報１８ａや子画面１８ｂを表示中であってもそれらを強制的に削除し、Ｓ１の処理に戻る。
【００３０】
Ｓ１１の処理において、制御部１０は、自身に内蔵されたカウンタＣ（不図示）を０に設定する。そして画像処理部１６により、図２（ｂ）に示されたような文字情報１８ａや子画面１８ｂがモニタ１８に重畳表示されると（Ｓ１２）、カウンタＣを１インクリメントし（Ｓ１３）、カウンタＣが所定値以上か否かを判定する（Ｓ１４）。カウンタＣが所定値より低い値であると判定した場合（Ｓ１４：ＮＯ）、制御部１０は、Ｓ１３の処理に戻ってカウンタＣを再び１インクリメントする。また、カウンタＣが所定値以上であると判定した場合（Ｓ１４：ＹＥＳ）、制御部１０は、文字情報１８ａや子画面１８ｂがモニタ１８に重畳表示されてから所定時間経過したことを検知し、これらチャンネル情報の重畳表示を解除し（Ｓ１５）、図４のＳ１の処理に戻る。
【００３１】
なお、図４のサブルーチン実行中にＴＶチャンネルの切り替えが検出された場合、制御部１０は、いずれの処理を実行中であっても現在表示中のチャンネル情報を削除してＳ１１の処理に戻る。そして新たに選択されたＴＶチャンネルの情報をモニタ１８に重畳表示する。
【００３２】
上述したようにナビゲーション画面（地図画面）表示中にＴＶチャンネルを切り替えた場合であっても当該ＴＶチャンネルの画像がモニタ１８に子画面で表示される。この為、ユーザは、当該ＴＶチャンネルの番組内容を的確に把握することができる。また、この子画面は、所定時間が経過すると自動的に消去される。ここで採用される所定時間は、ユーザが番組内容を充分に把握できる程度の時間であり、極めて短い。従って、モニタ１８上の子画面の所定時間の表示は、ユーザに対するナビゲーション提示を実質的に妨げるものではなく、若しくは当該提示に対する妨げを最小限に抑えたものである。また、ここで表示されるＴＶ画像のサイズが子画面である観点からも、当該ＴＶ画像によるナビゲーション提示の妨げは最小限に抑えられる。
【００３３】
以上が本発明の実施形態である。本発明はこれらの実施形態に限定されるものではなく様々な範囲で変形が可能である。
【図面の簡単な説明】
【００３４】
【図１】本発明の実施の形態の車載器の構成を示したブロック図である。
【図２】本発明の実施の形態のモニタに表示される画像を示した図である。
【図３】本発明の実施の形態において実行される、切り替えられたチャンネルの情報を表示するチャンネル情報表示処理を示したフローチャートである。
【図４】図３のＳ３の処理を示したフローチャートである。
【符号の説明】
【００３５】
１０  制御部
１２  操作部
１４  受信機
１６  画像処理部
１８  モニタ
２０  ＯＳＤ
２２  メモリ
２４  スピーカ
３０  ＧＰＳ装置
１００  車載器
【図１】
2006100908.tif 000003
【図２】
2006100908.tif 000004
【図３】
2006100908.tif 000005
【図４】
2006100908.tif 000006
【手続補正書】
【提出日】平成17年9月27日(2005.9.27)
【手続補正１】
【補正対象書類名】明細書
【補正対象項目名】００３０
【補正方法】変更
【補正の内容】
【００３０】
Ｓ１１の処理において、制御部１０は、自身に内蔵されたカウンタＣ（不図示）を０に設定する。そして画像処理部１６により、図２（ｂ）に示されたような文字情報１８ａや子画面１８ｂがモニタ１８に重畳表示されると（Ｓ１２）、カウンタＣを１インクリメントし（Ｓ１３）、カウンタＣが所定値以上か否かを判定する（Ｓ１４）。カウンタＣが所定値より低い値であると判定した場合（Ｓ１４：ＮＯ）、制御部１０は、Ｓ１３の処理に戻ってカウンタＣを再び１インクリメントする。また、カウンタＣが所定値以上であると判定した場合（Ｓ１４：ＹＥＳ）、制御部１０は、文字情報１８ａや子画面１８ｂがモニタ１８に重畳表示されてから所定時間経過したことを検知し、これらチャンネル情報の重畳表示を解除し（Ｓ１５）、図３のＳ１の処理に戻る。
【手続補正２】
【補正対象書類名】図面
【補正対象項目名】図３
【補正方法】変更
【補正の内容】
【図３】
2006100908.tif 000007